【手続補正書】
【提出日】平成18年8月28日(2006.8.28)
【手続補正１】
【補正対象書類名】明細書
【補正対象項目名】発明の名称
【補正方法】変更
【補正の内容】
【発明の名称】液体吐出装置及び方法、パネルの製造装置及び方法、液晶表示装置の製造方法、液晶表示装置を備えた装置の製造方法、カラーフィルタの製造方法
【手続補正２】
【補正対象書類名】明細書
【補正対象項目名】特許請求の範囲
【補正方法】変更
【補正の内容】
【特許請求の範囲】
【請求項１】  液体を吐出するための複数のノズルを有する液体吐出ヘッドにより媒体に前記液体を吐出する液体吐出装置であって、
前記複数のノズルのそれぞれに供給される駆動パルスのそれぞれの駆動電圧値を独立に変更可能な電圧制御手段を備え、
前記電圧制御手段は、１枚の前記媒体への液体吐出動作に使用されるノズルの組み合わせ、１枚の前記媒体への液体吐出動作に使用されるノズルの数、ノズルからの液体吐出タイミング、前記液体吐出ヘッドと前記媒体の相対移動方向、前記液体吐出ヘッドと前記媒体の相対移動スピードの内の少なくとも１つの変化によって引き起こされる液体吐出量の変化を補正するように、前記駆動電圧値を変更することを特徴とする液体吐出装置。
【請求項２】  液体を吐出するための複数のノズルを有する液体吐出ヘッドにより媒体に前記液体を吐出する液体吐出方法であって、
前記複数のノズルのそれぞれに供給される駆動パルスのそれぞれの駆動電圧値を独立に変更可能な電圧制御手段に接続されたノズルのみを有する前記液体吐出ヘッドから液体を吐出する液体吐出工程を備え、
前記電圧制御手段により、１枚の前記媒体への液体吐出動作に使用されるノズルの組み合わせ、１枚の前記媒体への液体吐出動作に使用されるノズルの数、ノズルからの液体吐出タイミング、前記液体吐出ヘッドと前記媒体の相対移動方向、前記液体吐出ヘッドと前記媒体の相対移動スピードの内の少なくとも１つの変化によって引き起こされる液体吐出量の変化を補正するように、前記駆動電圧値を変更することを特徴とする液体吐出方法。
【請求項３】  液体を吐出するための複数のノズルを有する液体吐出ヘッドから液体を基板上に吐出して表示装置用のパネルを製造するパネルの製造装置であって、
前記複数のノズルのそれぞれに供給される駆動パルスの駆動電圧値を変更可能な電圧制御手段を備え、
前記電圧制御手段は、１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つの変化によって引き起こされる液体吐出量の変化を補正するように、前記駆動電圧値を変更することを特徴とするパネルの製造装置。
【請求項４】  液体を吐出するための複数のノズルを有する液体吐出ヘッドから液体を基板上に吐出して表示装置用のパネルを製造するパネルの製造方法であって、
ノズルに供給される駆動パルスの駆動電圧値を変更できる電圧制御手段と接続されたノズルのみを有する液体吐出ヘッドから液体を吐出して前記パネルを製造し、
前記電圧制御手段により、１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つの変化によって引き起こされる液体吐出量の変化を補正するように、前記駆動電圧値を変更することを特徴とするパネルの製造方法。
【請求項５】  前記パネルは、前記液体吐出ヘッドからインクを液体として前記基板上のブラックマトリクスにより仕切られた画素領域に吐出することにより製造されたカラーフィルタを備えることを特徴とする請求項４に記載のパネルの製造方法。
【請求項６】  前記パネルは、前記液体吐出ヘッドからエレクトロルミネッセンス材料を液体として前記基板上の画素領域に吐出することにより製造されたエレクトロルミネッセンス素子を備えることを特徴とする請求項４に記載のパネルの製造方法。
【請求項７】  前記パネルは、前記液体吐出ヘッドから導電性薄膜材料を液体として前記基板上に吐出することにより製造された電子放出素子を備えることを特徴とする請求項４に記載のパネルの製造方法。
【請求項８】  前記パネルは、前記液体吐出ヘッドから導電性薄膜材料を液体として前記基板上に吐出することにより製造された複数の電子放出素子を含むことを特徴とする請求項４に記載のパネルの製造方法。
【請求項９】  液体の吐出量を変更可能な所定のノズルを含む複数のノズルを有する液体吐出ヘッドから液体を基板上に吐出してカラーフィルタを製造するカラーフィルタの製造方法であって、
吐出量制御手段により、前記所定のノズルに隣接するノズルの吐出状態の変化に応じて、前記所定のノズルに供給される駆動パルスの電圧値とパルス幅の内の少なくとも１つを変更することにより前記所定のノズルの液体吐出量を変更することを特徴とするカラーフィルタの製造方法。
【請求項１０】  前記吐出量制御手段により、前記所定のノズルの吐出時刻と略同時に隣接ノズルから吐出が行われるか否かに応じて、前記所定のノズルに供給される駆動パルスの電圧値とパルス幅の内の少なくとも１つを変更することを特徴とする請求項９に記載のカラーフィルタの製造方法。
【請求項１１】  前記所定のノズルをノズルＢとし、その両隣のノズルをそれぞれノズルＡ、ノズルＣとした場合、
前記吐出量制御手段により、ノズルＢと略同時に、ノズルＡおよびノズルＣの少なくとも一方から駆動吐出が行われるか、ノズルＢの吐出量に影響を与える程度の近傍時刻に、ノズルＡおよびノズルＣの少なくとも一方から吐出が行われるか、ノズルＢの吐出時刻の近傍時刻にはノズルＡおよびノズルＣのいずれからも吐出は行われないかに関する吐出条件のうち、いずれかの条件が変更された場合、ノズルＢに供給される駆動パルスの電圧値とパルス幅の内の少なくとも１つを変更することを特徴とする請求項９に記載のカラーフィルタの製造方法。
【請求項１２】  前記吐出量制御手段により、前記隣接ノズルの吐出条件が変更された場合に、前記所定のノズルの液体吐出量が変わらないように当該所定のノズルに供給される駆動パルスの電圧値とパルス幅の内の少なくとも１つを変更することを特徴とする請求項９に記載のカラーフィルタの製造方法。
【請求項１３】  使用されるノズル数が変更された場合、前記吐出量制御手段により、使用されるノズルの中で端部に位置する所定のノズルに供給される駆動パルスの電圧値とパルス幅の内の少なくとも１つを変更することを特徴とする請求項９に記載のカラーフィルタの製造方法。
【請求項１４】  使用されるノズルの組み合わせが変更された場合、前記吐出量制御手段により、隣接ノズルの使用状況が変化した前記所定のノズルに供給される駆動パルスの電圧値とパルス幅の内の少なくとも１つを変更することを特徴とする請求項９に記載のカラーフィルタの製造方法。
【請求項１５】  前記液体吐出ヘッドの複数のノズルの中で、前記所定のノズルが不良ノズルとなり、該不良ノズルとなった前記所定のノズルを不使用とすることで使用ノズルの組合せが変更された場合、前記吐出量制御手段により、前記所定のノズルの両側の隣接ノズルに供給される駆動パルスの電圧値とパルス幅の内の少なくとも１つを変更することを特徴とする請求項９に記載のカラーフィルタの製造方法。
【請求項１６】  前記液体吐出ヘッドの複数のノズルの中で、前記所定のノズルの吐出タイミングをずらしたときに、前記吐出量制御手段により、前記吐出タイミングをずらした前記所定のノズル及びその両側の隣接ノズルに供給される駆動パルスの電圧値とパルス幅の内の少なくとも１つを変更することを特徴とする請求項９に記載のカラーフィルタの製造方法。
【請求項１７】  液体吐出量が変更可能なノズルを含む複数のノズルを有する液体吐出ヘッドにより媒体に液体を吐出する液体吐出方法であって、
１枚の前記媒体への液体吐出動作に使用されるノズルの組み合わせ、１枚の前記媒体への液体吐出動作に使用されるノズルの数、ノズルからの液体吐出タイミング、前記液体吐出ヘッドと前記媒体の相対移動方向、前記液体吐出ヘッドと前記媒体の相対移動スピードの内の少なくとも１つの変化によって引き起こされる液体吐出量の変化を補正するように、前記ノズルに供給される駆動パルスの電圧値とパルス幅の内の少なくとも１つを変更する工程を備えることを特徴とする液体吐出方法。
【請求項１８】  液体吐出量が変更可能なノズルを含む複数のノズルを有する液体吐出ヘッドから液体を基板上に吐出して表示装置用のパネルを製造するパネルの製造方法であって、
１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つの変化によって引き起こされる液体吐出量の変化を補正するように、前記ノズルに供給される駆動パルスの電圧値とパルス幅の内の少なくとも１つを変更する工程を備えることを特徴とするパネルの製造方法。
【請求項１９】  前記パネルがカラーフィルタを備えることを特徴とする請求項１８に記載のパネルの製造方法。
【請求項２０】  前記パネルがエレクトロルミネッセンス素子を備えることを特徴とする請求項１８に記載のパネルの製造方法。
【請求項２１】  前記パネルが、導電性薄膜部を有する電子放出素子を複数個備えることを特徴とする請求項１８に記載のパネルの製造方法。
【請求項２２】  液体の吐出量を変更可能なノズルを含む複数のノズルを有する液体吐出ヘッドから液体を基板上に吐出してカラーフィルタを製造するカラーフィルタの製造方法であって、
１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つの変化によって引き起こされる液体吐出量の変化を補正するように、前記ノズルに供給される駆動パルスの電圧値とパルス幅の内の少なくとも１つを変更する工程を備えることを特徴とするカラーフィルタの製造方法。
【請求項２３】  請求項２２に記載の方法により製造されたカラーフィルタを用意する工程と、
前記カラーフィルタと対向基板の間に液晶化合物を封入する工程と、
を備えることを特徴とする液晶表示装置の製造方法。
【請求項２４】  請求項２３に記載の方法により製造された液晶表示装置を用意する工程と、
前記液晶表示装置を、該液晶表示装置に信号を供給する信号供給手段に接続する工程と、
を備えることを特徴とする液晶表示装置を備えた装置の製造方法。
【請求項２５】  液体吐出量が変更可能な所定のノズルを含む複数のノズルを有する液体吐出ヘッドから液体を基板上に吐出して表示装置用のパネルを製造するパネルの製造方法であって、
前記所定のノズルに隣接する少なくとも１つのノズルの吐出状態の変化に応じて、前記所定のノズルに供給される駆動パルスの電圧値とパルス幅の内の少なくとも１つを変更する工程を備えることを特徴とするパネルの製造方法。
【請求項２６】  前記吐出状態とは、１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つを含むことを特徴とする請求項２５に記載のパネルの製造方法。
【請求項２７】  前記パネルがカラーフィルタを備えることを特徴とする請求項２５に記載のパネルの製造方法。
【請求項２８】  前記パネルがエレクトロルミネッセンス素子を備えることを特徴とする請求項２５に記載のパネルの製造方法。
【請求項２９】  前記パネルが、導電性薄膜部を有する電子放出素子を複数個備えることを特徴とする請求項２５に記載のパネルの製造方法。
【請求項３０】  液体の吐出量を変更可能な所定のノズルを含む複数のノズルを有する液体吐出ヘッドから液体を基板上に吐出してカラーフィルタを製造するカラーフィルタの製造方法であって、
前記所定のノズルに隣接する少なくとも１つのノズルの吐出状態の変化に応じて、前記所定のノズルに供給される駆動パルスの電圧値とパルス幅の内の少なくとも１つを変更する工程を備え、
前記吐出状態とは、１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つを含むことを特徴とするカラーフィルタの製造方法。
【請求項３１】  請求項３０に記載の方法により製造されたカラーフィルタを用意する工程と、
前記カラーフィルタと対向基板の間に液晶化合物を封入する工程と、
を備えることを特徴とする液晶表示装置の製造方法。
【請求項３２】  請求項３１に記載の方法により製造された液晶表示装置を用意する工程と、
前記液晶表示装置を、該液晶表示装置に信号を供給する信号供給手段に接続する工程と、
を備えることを特徴とする液晶表示装置を備えた装置の製造方法。
【手続補正３】
【補正対象書類名】明細書
【補正対象項目名】００４６
【補正方法】変更
【補正の内容】
【００４６】
【課題を解決するための手段】
上述した課題を解決し、目的を達成するために、本発明に係わる液体吐出装置は、液体を吐出するための複数のノズルを有する液体吐出ヘッドにより媒体に前記液体を吐出する液体吐出装置であって、前記複数のノズルのそれぞれに供給される駆動パルスのそれぞれの駆動電圧値を独立に変更可能な電圧制御手段を備え、前記電圧制御手段は、１枚の前記媒体への液体吐出動作に使用されるノズルの組み合わせ、１枚の前記媒体への液体吐出動作に使用されるノズルの数、ノズルからの液体吐出タイミング、前記液体吐出ヘッドと前記媒体の相対移動方向、前記液体吐出ヘッドと前記媒体の相対移動スピードの内の少なくとも１つの変化によって引き起こされる液体吐出量の変化を補正するように、前記駆動電圧値を変更することを特徴とする。
また、本発明に係わる液体吐出方法は、液体を吐出するための複数のノズルを有する液体吐出ヘッドにより媒体に前記液体を吐出する液体吐出方法であって、前記複数のノズルのそれぞれに供給される駆動パルスのそれぞれの駆動電圧値を独立に変更可能な電圧制御手段に接続されたノズルのみを有する前記液体吐出ヘッドから液体を吐出する液体吐出工程を備え、前記電圧制御手段により、１枚の前記媒体への液体吐出動作に使用されるノズルの組み合わせ、１枚の前記媒体への液体吐出動作に使用されるノズルの数、ノズルからの液体吐出タイミング、前記液体吐出ヘッドと前記媒体の相対移動方向、前記液体吐出ヘッドと前記媒体の相対移動スピードの内の少なくとも１つの変化によって引き起こされる液体吐出量の変化を補正するように、前記駆動電圧値を変更することを特徴とする。
【手続補正４】
【補正対象書類名】明細書
【補正対象項目名】００４７
【補正方法】変更
【補正の内容】
【００４７】
また、本発明に係わるパネルの製造方法は、液体を吐出するための複数のノズルを有する液体吐出ヘッドから液体を基板上に吐出して表示装置用のパネルを製造するパネルの製造装置であって、前記複数のノズルのそれぞれに供給される駆動パルスの駆動電圧値を変更可能な電圧制御手段を備え、前記電圧制御手段は、１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つの変化によって引き起こされる液体吐出量の変化を補正するように、前記駆動電圧値を変更することを特徴とする。
また、本発明に係わるパネルの製造方法は、液体を吐出するための複数のノズルを有する液体吐出ヘッドから液体を基板上に吐出して表示装置用のパネルを製造するパネルの製造方法であって、ノズルに供給される駆動パルスの駆動電圧値を変更できる電圧制御手段と接続されたノズルのみを有する液体吐出ヘッドから液体を吐出して前記パネルを製造し、前記電圧制御手段により、１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つの変化によって引き起こされる液体吐出量の変化を補正するように、前記駆動電圧値を変更することを特徴とする。
【手続補正５】
【補正対象書類名】明細書
【補正対象項目名】００４８
【補正方法】変更
【補正の内容】
【００４８】
また、本発明に係わるカラーフィルタの製造方法は、液体の吐出量を変更可能な所定のノズルを含む複数のノズルを有する液体吐出ヘッドから液体を基板上に吐出してカラーフィルタを製造するカラーフィルタの製造方法であって、吐出量制御手段により、前記所定のノズルに隣接するノズルの吐出状態の変化に応じて、前記所定のノズルに供給される駆動パルスの電圧値とパルス幅の内の少なくとも１つを変更することにより前記所定のノズルの液体吐出量を変更することを特徴とする。
また、本発明に係わる液体吐出方法は、液体吐出量が変更可能なノズルを含む複数のノズルを有する液体吐出ヘッドにより媒体に液体を吐出する液体吐出方法であって、１枚の前記媒体への液体吐出動作に使用されるノズルの組み合わせ、１枚の前記媒体への液体吐出動作に使用されるノズルの数、ノズルからの液体吐出タイミング、前記液体吐出ヘッドと前記媒体の相対移動方向、前記液体吐出ヘッドと前記媒体の相対移動スピードの内の少なくとも１つの変化によって引き起こされる液体吐出量の変化を補正するように、前記ノズルに供給される駆動パルスの電圧値とパルス幅の内の少なくとも１つを変更する工程を備えることを特徴とする。
【手続補正６】
【補正対象書類名】明細書
【補正対象項目名】００４９
【補正方法】変更
【補正の内容】
【００４９】
また、本発明に係わるパネルの製造方法は、液体吐出量が変更可能なノズルを含む複数のノズルを有する液体吐出ヘッドから液体を基板上に吐出して表示装置用のパネルを製造するパネルの製造方法であって、１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つの変化によって引き起こされる液体吐出量の変化を補正するように、前記ノズルに供給される駆動パルスの電圧値とパルス幅の内の少なくとも１つを変更する工程を備えることを特徴とする。
【手続補正７】
【補正対象書類名】明細書
【補正対象項目名】００５０
【補正方法】変更
【補正の内容】
【００５０】
また、本発明に係わるカラーフィルタの製造方法は、液体の吐出量を変更可能なノズルを含む複数のノズルを有する液体吐出ヘッドから液体を基板上に吐出してカラーフィルタを製造するカラーフィルタの製造方法であって、１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つの変化によって引き起こされる液体吐出量の変化を補正するように、前記ノズルに供給される駆動パルスの電圧値とパルス幅の内の少なくとも１つを変更する工程を備えることを特徴とする。
【手続補正８】
【補正対象書類名】明細書
【補正対象項目名】００５１
【補正方法】変更
【補正の内容】
【００５１】
また、本発明に係わるパネルの製造方法は、液体吐出量が変更可能な所定のノズルを含む複数のノズルを有する液体吐出ヘッドから液体を基板上に吐出して表示装置用のパネルを製造するパネルの製造方法であって、前記所定のノズルに隣接する少なくとも１つのノズルの吐出状態の変化に応じて、前記所定のノズルに供給される駆動パルスの電圧値とパルス幅の内の少なくとも１つを変更する工程を備えることを特徴とする。
【手続補正９】
【補正対象書類名】明細書
【補正対象項目名】００５２
【補正方法】変更
【補正の内容】
【００５２】
また、本発明に係わるカラーフィルタの製造方法は、液体の吐出量を変更可能な所定のノズルを含む複数のノズルを有する液体吐出ヘッドから液体を基板上に吐出してカラーフィルタを製造するカラーフィルタの製造方法であって、前記所定のノズルに隣接する少なくとも１つのノズルの吐出状態の変化に応じて、前記所定のノズルに供給される駆動パルスの電圧値とパルス幅の内の少なくとも１つを変更する工程を備え、前記吐出状態とは、１枚の前記基板への液体吐出動作に使用されるノズルの組み合わせ、１枚の前記基板への液体吐出動作に使用されるノズルの数、ノズルからの液体吐出タイミング、前記液体吐出ヘッドと前記基板の相対移動方向、前記液体吐出ヘッドと前記基板の相対移動スピードの内の少なくとも１つを含むことを特徴とする。